(57)【要約】      （修正有）【課題】履物に取り付け・取り外しが可能な収納機能を備えた収納兼装飾部材を提供する。【解決手段】収納兼装飾部材１は、足の甲を緊締するベルト部１１を備えた幼児靴１０に脱着自在であって、２つの略同一形状の部材２，３が繋ぎ部で繋がれ、部材を重ね合わせた場合に装飾部材となる。部材の重ね合わせる面同士は、面ファスナーもしくはホック等の嵌合部材で止められ、部材の重ね合わせる面側には、半円状の収納開口部を備えた円状の収納部が少なくとも１つ設けられる。部材の重ね合わせる面側でない外側面の一方には、ゴムバンド４が２箇所で取り付けられており、外側面とゴムバンドの間隙はベルト部１１が貫通可能である。【選択図】図１
0003161137.tif 000002
【実用新案登録請求の範囲】
【請求項１】
足の甲を緊締するベルト部を備えた履物に脱着自在の収納兼装飾部材であって、
２つの略同一形状の部材が繋ぎ部で繋がれ、前記部材を重ね合わせた場合に装飾部材となるものであり、
前記部材の重ね合わせる面同士は、面ファスナーもしくはホック等の嵌合部材で止められるものであり、
前記部材の重ね合わせる面側には、半円状の収納開口部を備えた円状の収納部が少なくとも１つ設けられており、
前記部材の重ね合わせる面側でない外側面の一方には、ゴムバンドが２箇所で取り付けられており、２箇所で取り付けられた前記外側面と前記ゴムバンドの間隙は前記ベルト部が貫通可能のものである、
ことを特徴とする収納兼装飾部材。
【請求項２】
前記収納部が硬貨を収納できるサイズであることを特徴とする請求項１に記載の収納兼装飾部材。
【請求項３】
前記ゴムバンドは、手首に取り付け得るリング状のものであることを特徴とする請求項１に記載の収納兼装飾部材。
【請求項４】
前記履物は、面ファスナーを用いて足の甲辺りを締め付け得るベルト部を備えた幼児靴であることを特徴とする請求項１〜３のいずれかに記載の収納兼装飾部材。
【考案の詳細な説明】
【技術分野】
【０００１】
本考案は、幼児靴などの履物に取り付け・取り外しが可能な収納機能を備えた収納兼装飾部材に関するものである。
【背景技術】
【０００２】
親にとって、子供が初めて歩いた瞬間は、喜びをかみ締める幸せなひと時であり、２本足で始めて歩く姿は大変感動的であり、写真やビデオに記念として残したりする。よちよち歩きの子供が初めて履く靴はファーストシューズと呼ばれている。両親がハンドメイドで作ったり、靴屋にオーダーをして名前を入れ込んでおいたり、また、履いていたファーストシューズをゴールドやブロンズカラーにコーティングして飾り物として置いたりする。中には一流ブランドのベビー靴をファーストシューズにする人もいる。それぞれの好みと個性でメモリアルグッズとなっている。
かかるメモリアルグッズのファーストシューズに、子供の関連する思い出の品を収納したりする要望がある。
【０００３】
ファーストシューズに用いられる靴ではなく、例えば運動靴において、その前甲部を緊締する靴紐の緊締後の余剰部分を収納できる収納部が設けられ、走行中に余剰の靴紐が邪魔にならないようにした運動靴が知られている（例えば、特許文献１を参照。）。具体的には、運動靴の前甲部に面ファスナーを用いて靴紐の収納部を設けるものである。
しかしながら、ファーストシューズに用いられる靴に、思い出の品などを収納するための収納機能を備えたものは見当たらない。
【先行技術文献】
【特許文献】
【０００４】
【特許文献１】特開２００７−０４３０３９号公報
【考案の概要】
【考案が解決しようとする課題】
【０００５】
上述したように、幼児のファーストシューズは、その両親の思いが込められた大切なもので、子供の成長の思い出の品物となるものである。かかるファーストシューズに、幼児の成長の記録や両親のメッセージ、へその緒などの記念の品をシューズに収納させたいといった要望がある。
また、親の手を離れて一人で外に出かけることができる幼児の履物に、連絡先や自宅地図が書かれた紙や小銭を履物に収納させたいといった要望がある。
【０００６】
上記状況に鑑みて、本考案は、履物に取り付け・取り外しが可能な収納機能を備えた収納兼装飾部材を提供することを目的とする。
【課題を解決するための手段】
【０００７】
本考案者は、長年にわたり靴のデザイン・製作を行っており、ファーストシューズなどの履物の思い出としての付加価値を高めるべく、本考案を完成したものである。一般的に、べピー靴や幼児靴は、靴を履かせ易さなどの理由から、紐で足の甲当たりを緊締するタイプよりも、ベルトで足の甲当たりを緊締するタイプが殆どである。このベルトで足の甲当たりを緊締するタイプは、ベルトの端部と靴の外側面に、面ファスナーやホック等の嵌合部材が設けられており、靴を履いた後、ベルトを足の甲に巻きつけてベルトの端部を面ファスナー等で止めるものである。
本考案者は、かかるベルトに着目し、このベルトを利用して、べピー靴や幼児靴に、思い出の品、連絡先情報が書かれた紙、硬貨、硬貨サイズの防犯用ブザー装置、硬貨サイズのＧＰＳ測位装置などを収納できる装飾部材を取り付けることを考案した。
【０００８】
すなわち、上記目的を達成すべく、本考案の収納兼装飾部材は、足の甲を緊締するベルト部を備えた履物に脱着自在の収納兼装飾部材であって、下記の１〜４）の構成と備えたものである。
１）２つの略同一形状の部材が繋ぎ部で繋がれ、部材を重ね合わせた場合に装飾部材となるものであり、
２）上記の部材の重ね合わせる面同士は、面ファスナーもしくはホック等の嵌合部材で止められるものであり、
３）上記の部材の重ね合わせる面側には、半円状の収納開口部を備えた円状の収納部が少なくとも１つ設けられており、
４）上記の部材の重ね合わせる面側でない外側面の一方には、ゴムバンドが２箇所で取り付けられており、２箇所で取り付けられた外側面とゴムバンドの間隙は上記のベルト部が貫通可能のものである。
【０００９】
かかる構成によれば、ベルト部を備えたべピー靴や幼児靴に、思い出の品、連絡先情報が書かれた紙、硬貨、硬貨サイズの防犯用ブザー装置、硬貨サイズのＧＰＳ測位装置などを収納できる装飾部材を、履物に取り付け・取り外しが自在に行える。
２つの略同一形状の部材は、装飾機能を発揮させるもので、例えば、可愛いパンダや子犬の顔のイメージのような愛らしい形状を呈することにより、ベビー靴や幼児靴自体の可愛いといったコンセプトを維持しつつ、収納機能を付加させることができる。
部材の重ね合わせる面同士は、面ファスナーもしくはホック等の嵌合部材で止めることにより、収納する物の脱落や汚れを防ぐことができる。なお、面ファスナーとして、代表的なものとしてマジックテープ（登録商標）を使用するとよい。
【００１０】
部材の重ね合わせる面側に、半円状の収納開口部を備えた円状の収納部を少なくとも１つ設けることで、収納機能を持たせるのである。半円状の収納開口部としたのは、硬貨などの取り出しの利便性を図るものである。また、少なくとも１つとしたのは、２つの部材の内どちらか一方に収納開口部を設ける意図である。２つの部材の両方に収納開口部を設けるのも構わない。
部材の重ね合わせる面側でない外側面の一方に、ゴムバンドを２箇所で取り付けることにより、２箇所で取り付けられた外側面とゴムバンドの間隙に、足の甲を緊締するベルト部を通して、履物に簡単に取り付け、また簡単に取り外しが行える。なお、ゴムバンドの取り付けは、ミシンなどを用いて縫い付けて取り付ける。
【００１１】
また、本考案の収納兼装飾部材におけるゴムバンドは、単なる飾りものでなく、手首に取り付け得るリング状のものが好ましい態様である。ゴムバンドをリング状にすることにより、収納兼装飾部材を履物から取り外した後、ゴムバンドを手首に通して、まるで時計の如く、手首付近にアクセサリーとして取り付けることができる。なお、手首に取り付けることから、ゴムバンドは、柔軟で、かつ滑らかなものが好ましい。
【００１２】
また、本考案の収納兼装飾部材における収納部は、硬貨を収納できるサイズであることが好ましい。
何かの非常時のための硬貨や、硬貨サイズの防犯用ブザー装置や、硬貨サイズのＧＰＳ測位装置などを収納できるようにするものである。
【００１３】
また、本考案の収納兼装飾部材における履物は、面ファスナーを用いて足の甲辺りを締め付け得るベルト部を備えた幼児靴であることが好ましい。
上述した如く、思い出の品を収納した本考案の部材をファーストシューズなどの幼児靴に取り付けて置き物にしたり、ファーストシューズとなり得る幼児靴に取り付け出産祝い品として贈呈する場合に、幼児靴は安全性の観点から面ファスナーを用いて足の甲辺りを締め付け得るベルト部を備えたものが好ましいからである。
【考案の効果】
【００１４】
本考案の収納兼装飾部材によれば、履物に取り付け・取り外しが可能で、収納機能を備え、装飾機能を備えるといった効果を有する。
また、本考案の収納兼装飾部材によれば、べピー靴や幼児靴に、思い出の品、連絡先情報が書かれた紙、硬貨、硬貨サイズの防犯用ブザー装置、硬貨サイズのＧＰＳ測位装置などを収納できることにより、履物の価値や利便性を向上することができる。
【図面の簡単な説明】
【００１５】
【図１】実施例１の収納兼装飾部材を取り付けた幼児靴の外観斜視図
【図２】実施例１の収納兼装飾部材を展開したものの外観図（外側）
【図３】実施例１の収納兼装飾部材を展開したものの外観図（内側）
【図４】実施例１の収納兼装飾部材の外側面とゴムバンドの間隙に靴のベルト部が貫通したイメージ図
【図５】実施例１の収納兼装飾部材を手首に取り付けたイメージ図
【図６】足の甲辺りを締め付け得るベルト部を備えた幼児靴の外観斜視図
【図７】その他の実施例の収納兼装飾部材を展開したものの外観図（内側）
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、実施例１の収納兼装飾部材を取り付けた幼児靴の外観斜視図を示している。また、図６は、収納兼装飾部材を取り付けていないベルト部を備えた幼児靴の外観斜視図を示している。
また、図２、図３は、実施例１の収納兼装飾部材を展開した様子を示す外観図である。
【００１８】
実施例１の収納兼装飾部材１は、２つの熊の顔の形をモチーフとする同一形状の部材（表側）２と部材（裏側）３を重ね合わせたものにゴムバンド４が取り付けられているものであり、図１に示すように、足の甲辺りを締め付け得るベルト１１を備えた幼児靴１０に、２つの熊の顔の形をモチーフとする同一形状の部材（２，３）を重ね合わせたものを、幼児靴１０のベルト１１にゴムバンド４を用いて取り付けている。
【００１９】
収納兼装飾部材１は、図２に示すように、２つの同一形状の部材（２，３）が繋ぎ部１３で繋がれている。部材（表側）２と部材（裏側）３を重ね合わせた場合に立体感のある熊の顔の形の可愛らしい装飾部材となる
部材（裏側）３の外側には、ゴムバンド４が２箇所（５ａ，５ｂ）で取り付けられている。２箇所（５ａ，５ｂ）で取り付けられた間のゴムバンド４ａと、部材（裏側）３の外側面との間隙に、図４に示すように、ベルト１１を貫通させることにより、収納兼装飾部材１をベルト１１に取り付ける。
【００２０】
また、収納兼装飾部材１は、図３に示すように、部材（表側）２と部材（裏側）３の重ね合わせる面同士は、面ファスナー（７ａ，７ｂ）で止められるようになっている。面ファスナーとしては、マジックテープ（登録商標）を使用する。
そして、部材（表側）２と部材（裏側）３の重ね合わせる面側（内側）は、半円状の収納開口部（６，９）を備えた円状の収納部が設けられている。収納部は、５００円硬貨を収納できるサイズにしている。この収納部には、５００円などの硬貨に限らず、思い出の写真や、迷子になった場合の住所や電話番号や家の地図などの連絡先の情報が書かれた紙、硬貨サイズのコンパクトな防犯用ブザーや、測位装置を入れておく。その他、へその緒などのメモリアルグッズでも構わない。
【００２１】
靴を脱いだ時などは、図５に示すように、収納兼装飾部材１を手首１２に取り付けることができる。ゴムバンド４は、部材（裏側）３の外側に２箇所（５ａ，５ｂ）で取り付けられ、ゴムバンド４ａ（図２を参照）の部分を利用して幼児靴１０のベルト１１を挟みこみ、残りのゴムバンド４の部分を用いることにより、手首１２に取り付け可能としている。
【００２２】
（他の実施例）
（１）実施例１の収納兼装飾部材は、安全面の観点から面ファスナーを用いて部材（表側）と部材（裏側）を重ねて止めているが、図７に示すように、金属ホックを用いて止めてもよい。
（２）履物としてベビー靴や幼児靴を例に説明しているが、ベルト部を備えるものであれば、サンダルのような履物であっても本考案の収納兼装飾部材を用いることができる。
【産業上の利用可能性】
【００２３】
本考案は、幼児靴に取り付ける収納部材として有用である。
【符号の説明】
【００２４】
１    収納兼装飾部材
２    部材（表側）
３    部材（裏側）
４    ゴムバンド
１０  幼児靴
１１  ベルト
１３  繋ぎ部
【図１】
0003161137.tif 000003
【図２】
0003161137.tif 000004
【図３】
0003161137.tif 000005
【図４】
0003161137.tif 000006
【図５】
0003161137.tif 000007
【図６】
0003161137.tif 000008
【図７】
0003161137.tif 000009